(57)【要約】【課題】特別のグラウンド部材をコネクタ内に設置せずに、簡素な構造によって、クロストークの発生を低減できるコンパクトなコネクタのグラウンド構造を提供する。【解決手段】コネクタ１のインシュレータ２の突出部２ａの表裏両面には、多数の信号コンタクト３と多数のグラウンドコンタクト４が交互に保持されている。各信号コンタクトのはんだリード部（端子部）３ａは、インシュレータに圧入されたプリント基板５の信号パターン５ａに接続する。各信号コンタクトの拡大部（インピーダンス調整部）３ｂは、各グラウンドコンタクトの突出平板部４ｂによって被覆される。各信号コンタクトの接触部３ｃと各グラウンドコンタクトの接触部４ｄは、相手側コネクタ（図示せず）と接続する。各信号コンタクトは、隣接する両側の各グラウンドコンタクトの全体の高さ方向部（４ａ，４ｃ，４ｄ）と、隣接する一方側のグラウンドコンタクトの突出平板部と、プリント基板のグラウンド平面層５ｂとによって四方（四面）を包囲されて遮蔽される。【選択図】      図４
2004259542.tif 000002
【特許請求の範囲】
【請求項１】
インシュレータと、前記インシュレータに１列に保持される複数の信号コンタクトと、前記インシュレータに１列に保持される複数のグラウンドコンタクトと、前記インシュレータに固定される基板とから構成されるコネクタにおいて、
前記各信号コンタクトは、相手側コネクタの各信号コンタクトと接続する接触部と、前記基板と接続する端子部とを有し、
前記各グラウンドコンタクトは、相手側コネクタの各グラウンドコンタクトと接続する接触部と、前記基板と接続する端子部と、前記各グラウンドコンタクトの高さ方向に直交する方向に突出平板部とを有し、
前記各信号コンタクトと前記各グラウンドコンタクトとは、交互に配設され、前記各信号コンタクトは、隣接する両側の各グラウンドコンタクトの全体の高さ方向部と隣接する一方側の前記グラウンドコンタクトの突出平板部とによって三方を包囲されて遮蔽されることを特徴とするコネクタのグラウンド構造。
【請求項２】
前記各信号コンタクトは、前記基板の表裏両面に対称に保持され、前記各グラウンドコンタクトは、その高さ方向において対称に形成されて前記基板に保持されることを特徴とする請求項１記載のコネクタのグラウンド構造。
【請求項３】
前記基板は、内部にグラウンド平面層を１層又は２層有し、前記各信号コンタクトは、四方を包囲されて遮蔽されることを特徴とする請求項１又は２記載のコネクタのグラウンド構造。
【発明の詳細な説明】
【０００１】
【発明の属する技術分野】
本発明は、コネクタのグラウンド構造に関する。
【０００２】
【従来の技術】
まず、第１の従来の技術としてプリント基板用同軸コネクタコンタクトについて説明する（例えば、特許文献１参照。）。
【０００３】
第１の従来の技術は、プリント基板用同軸コネクタコンタクトの伝送特性の向上と電気的接続の作業性の向上を図るものである。
【０００４】
図７に示されるように、プラグ同軸コネクタのハウジング３１に電子回路パッケージ３２が搭載され、電子回路パッケージ３２上に複数の信号用リード３３と複数のグラウンド用金属片３４が配置されている。各信号用リード３３は、各信号用ターミナル３５に接続される。各グラウンド用金属片３４は、電子回路パッケージ３２の平面部以外の三方を包囲するような形状で配置され、電子回路パッケージ３２上に形成された各グラウンド用ターミナル３６を介してグラウンドと接続する。各信号用リード３３は、各グラウンド用金属片３４よりもΔＬだけ突出して配置される。したがって、この箇所は、インピーダンスを調整した擬似同軸構造となる。よって、同軸コネクタは、この箇所にて電子回路パッケージ３２上の各信号用ターミナル３５と各グラウンド用ターミナル３６へ終端され、電子回路パッケージ３２上の回路パターンと接続される。なお、複数のソケット側同軸コンタクト３７は、ハウジング３１に保持されている。
【０００５】
次に、第２の従来の技術として平衡伝送用コネクタについて説明する（例えば、特許文献２参照。）。
【０００６】
第２の従来の技術は、複数の信号コンタクトペアをグラウンド部材によって包囲し、クロストークの発生を防止するものである。
【０００７】
図８に示されるように、各信号コンタクトペア４１ａ，４１ｂの間には、グラウンドプレート４２が配設され、また、各信号コンタクトペア４１ａ，４１ｂの両側には、フレームグラウンド４４，４５が配設される。なお、１枚のグラウンドプレート４２の付近には、２本のグラウンドコンタクト４３，４３が配設される。
【０００８】
【特許文献１】
特開２００１−２８２８４号公報（第５頁第７欄第３６行−第８欄第１７行、図１）
【０００９】
【特許文献２】
特開２０００−６７９５５号公報（第６頁第１０欄第２８行−第７頁第１１欄第３１行、図１，２（Ａ））
【００１０】
【発明が解決しようとする課題】
前記両従来の技術では、クロストークの発生を防止するために、特別のグラウンド部材をコネクタ内に設置する必要がある。したがって、コネクタが大型化せざるを得ない。
【００１１】
そこで、本発明は、前記両従来の技術の欠点を改良し、特別のグラウンド部材をコネクタ内に設置せずに、簡素な構造によって、クロストークの発生を低減することができるコンパクトなコネクタのグラウンド構造を提供しようとするものである。
【００１２】
【課題を解決するための手段】
本発明は、前記課題を解決するため、次の手段を採用する。
【００１３】
１．インシュレータと、前記インシュレータに１列に保持される複数の信号コンタクトと、前記インシュレータに１列に保持される複数のグラウンドコンタクトと、前記インシュレータに固定される基板とから構成されるコネクタにおいて、前記各信号コンタクトは、相手側コネクタの各信号コンタクトと接続する接触部と、前記基板と接続する端子部とを有し、前記各グラウンドコンタクトは、相手側コネクタの各グラウンドコンタクトと接続する接触部と、前記基板と接続する端子部と、前記各グラウンドコンタクトの高さ方向に直交する方向に突出平板部とを有し、前記各信号コンタクトと前記各グラウンドコンタクトとは、交互に配設され、前記各信号コンタクトは、隣接する両側の各グラウンドコンタクトの全体の高さ方向部と隣接する一方側の前記グラウンドコンタクトの突出平板部とによって三方を包囲されて遮蔽されるコネクタのグラウンド構造。
【００１４】
２．前記各信号コンタクトは、前記基板の表裏両面に対称に保持され、前記各グラウンドコンタクトは、その高さ方向において対称に形成されて前記基板に保持される前記１記載のコネクタのグラウンド構造。
【００１５】
３．前記基板は、内部にグラウンド平面層を１層又は２層有し、前記各信号コンタクトは、四方を包囲されて遮蔽される前記１又は２記載のコネクタのグラウンド構造。
【００１６】
【発明の実施の形態】
本発明の一実施の形態例のコネクタのグラウンド構造について図１〜図６を参照して説明する。
【００１７】
図１はコネクタのグラウンド構造の斜視図であり、（Ａ）は全体図、（Ｂ）は一角度方向から見た部分拡大図、（Ｃ）は他の角度方向から見た部分拡大図を、それぞれ示す。
【００１８】
コネクタ１の直方体形状のインシュレータ２には、多数の信号コンタクト３が一定のピッチで１列に保持され、また、多数のグラウンドコンタクト４も一定のピッチで１列に保持される。各信号コンタクト３と各グラウンドコンタクト４とは、１本毎に交互に配置される。
【００１９】
インシュレータ２の一方側には、プリント基板５が圧入され、他方側には、インシュレータ２から突出部２ａが形成される。
【００２０】
図２は、信号コンタクト３の斜視図である。信号コンタクト３の一端側は、はんだリード部３ａであり、はんだリード部３ａの近傍の拡大部３ｂの幅は、広く構成される。拡大部３ｂの幅又は厚みを変化させることによって、インピーダンス調整が行われる。はんだリード部３ａは、プリント基板５と接続する端子部である。信号コンタクト３の他端側は、相手側コネクタの信号コンタクトと接続する接触部３ｃである。
【００２１】
図３は、グラウンドコンタクト４の斜視図である。１本のグラウンドコンタクト４は、プリント基板５の表裏両面で使用されるため、上下対称形状に構成される。グラウンドコンタクト４の一端側は、はんだリード部４ａであり、はんだリード部４ａは、プリント基板５と接続する端子部である。はんだリード部４ａの近傍にはんだリード部４ａに直交する方向に突出平板部４ｂを突出するように形成する。突出平板部４ｂに隣接してグラウンドコンタクト４をインシュレータ２に保持するための幅広の保持部４ｃを形成する。グラウンドコンタクト４の他端側は、相手側コネクタのグラウンドコンタクトと接続する接触部４ｄである。
【００２２】
図４（Ａ）はコネクタ１の断面図、図４（Ｂ）はコネクタ１の正面図、図５は図４（Ａ）における線Ａ−Ａによる断面図、図６は図４（Ａ）における線Ｂ−Ｂによる断面図を、それぞれ示す。
【００２３】
図４（Ａ）において、プリント基板５の上下両面の各信号パターン５ａには、各信号コンタクト（ペア）３，３のはんだリード部（端子部）３ａ，３ａが接続される。各信号コンタクト３，３の向側（背後側）には、グラウンドコンタクト４が配設される。各信号コンタクト３，３は、グラウンドコンタクト４よりもΔＤだけ短く構成される。各信号コンタクト３，３の拡大部３ｂ，３ｂの上下両側には、グラウンドコンタクト４の各突出平板部４ｂ，４ｂが配設される。プリント基板５の内部に、上下両面に近接してそれぞれグラウンド平面層５ｂ，５ｂが設けられる。図４（Ｂ）、図５及び図６に示されるように、各信号コンタクト３，３の左右両側には、それぞれグラウンドコンタクト４が配設される。したがって、各信号コンタクト３，３は、左右上下の四方（四面）を遮蔽される。
【００２４】
本実施の形態例では、グラウンドコンタクト４の突出平板部４ｂは、信号コンタクト３の拡大部３ｂを被覆するが、突出平板部４ｂが被覆する信号コンタクト３の部分は、多い程望ましい。
【００２５】
また、本実施の形態例では、各信号コンタクト３は、各グラウンドコンタクト４とプリント基板５のグラウンド平面層５ｂによって、左右上下の四方（四面）を遮蔽されるが、グラウンド平面層５ｂが欠如して三方（三面）を遮蔽されても、グラウンド機能は、相当程度達成される。
【００２６】
更に、本実施の形態例では、コネクタ１は、プリント基板５の表裏両面に搭載されるが、片面のみに搭載可能であることは、いうまでもない。
【００２７】
【発明の効果】
以上の説明から明らかなように、本発明によれば、次の効果が、奏される。
【００２８】
１．特別のグラウンド部材をコネクタ内に設置せずに、簡素な構造によって、クロストークの発生を低減することができる。また、コネクタ内部のインピーダンスを細かく調整することができる。
【００２９】
２．多芯で狭ピッチでコンパクトなコネクタを提供することができる。
【００３０】
３．グラウンド構造は、主として対称形状の部材から構成されるので、製作が容易で、コストが安価になる。
【図面の簡単な説明】
【図１】本発明の一実施の形態例のコネクタのグラウンド構造の斜視図であり、（Ａ）は全体図、（Ｂ）は一角度方向から見た部分拡大図、（Ｃ）は他の角度方向から見た部分拡大図を、それぞれ示す。
【図２】同コネクタにおける信号コンタクトの拡大斜視図である。
【図３】同コネクタにおけるグラウンドコンタクトの拡大斜視図である。
【図４】（Ａ）は同コネクタの断面図、（Ｂ）は同コネクタの一部の正面図を、それぞれ示す。
【図５】図４（Ａ）における線Ａ−Ａによる断面図である。
【図６】図４（Ａ）における線Ｂ−Ｂによる断面図である。
【図７】第１の従来の技術であるプリント基板用同軸コネクタコンタクトであり、（Ａ）は要部の斜視図、（Ｂ）は要部の断面図を、それぞれ示す。
【図８】第２の従来の技術である平衡伝送用コネクタの平面図である。
【符号の説明】
１    コネクタ
２    インシュレータ
３    信号コンタクト
３ａ    はんだリード部（端子部）
３ｂ    拡大部
３ｃ    接触部
４    グラウンドコンタクト
４ａ    はんだリード部（端子部）
４ｂ    突出平板部
４ｃ    保持部
４ｄ    接触部
５    プリント基板
５ａ    信号パターン
５ｂ    グラウンド平面層
【図１】
2004259542.tif 000003
【図２】
2004259542.tif 000004
【図３】
2004259542.tif 000005
【図４】
2004259542.tif 000006
【図５】
2004259542.tif 000007
【図６】
2004259542.tif 000008
【図７】
2004259542.tif 000009
【図８】
2004259542.tif 000010